(57)【要約】【課題】空気調和機の点検箇所の判断に専門知識が不要で、故障要因を特定する時間を低減すること。【解決手段】点検箇所表示スイッチ５の操作時に、点検箇所データ抽出手段７が、故障判定手段３で判定された故障状態と故障状態毎の複数の点検箇所データから空気調和機の点検すべき箇所を故障情報として所定の項目抽出し、表示部４に表示するものである。これによって、空気調和機の点検箇所の判断に専門知識が不要で、故障要因を特定する時間を低減することができる。【選択図】図１
2007192492.tif 000002
【特許請求の範囲】
【請求項１】
空気調和機の制御状態を検出する複数のセンサ値から空気調和機の故障状態を判定する故障判定手段と、前記空気調和機の故障時に故障情報を表示する表示部と、故障状態毎の複数の点検箇所データを記憶する点検箇所データ記憶部と、操作により前記空気調和機の点検箇所データを前記表示部に表示させる点検箇所表示スイッチと、点検箇所データ抽出手段を具備した空気調和機の自己診断表示装置であって、前記点検箇所データ抽出手段が前記故障判定手段で判定された故障状態と故障状態毎の複数の点検箇所データから前記空気調和機の点検すべき箇所を所定の項目抽出することを特徴とする空気調和機の自己診断表示装置。
【請求項２】
空気調和機の制御状態を検出する複数のセンサ値から空気調和機の故障状態を判定する故障判定手段と、前記空気調和機の故障時に故障情報を表示する表示部と、故障状態毎の複数の部品交換率データを記憶する部品交換率データ記憶部と、操作により前記空気調和機の部品交換率データを前記表示部に表示させる部品交換率表示スイッチと、部品交換率データ抽出手段を具備した空気調和機の自己診断表示装置であって、前記部品交換率データ抽出手段が前記故障判定手段で判定された故障状態と故障状態毎の複数の部品交換率データから前記空気調和機の部品交換率データを所定の項目抽出することを特徴とする空気調和機の自己診断表示装置。
【請求項３】
空気調和機の能力並びに形態等が特定できる機器コード記憶部を設けたことを特徴とする、請求項１または２記載の空気調和機の自己診断表示装置。
【請求項４】
空気調和機の故障状態毎並びに年毎の部品交換率データを抽出する場合の年を設定する抽出年設定手段を設けたことを特徴とする、請求項３記載の空気調和機の自己診断表示装置。
【請求項５】
空気調和機の故障情報を双方向リモコンに送信する故障情報送信手段を設けたことを特徴とする、請求項１〜４記載の空気調和機の自己診断表示装置。
【請求項６】
空気調和機の故障情報を音声案内する音声出力手段を設けたことを特徴とする、請求項１〜５記載の空気調和機の自己診断表示装置。
【発明の詳細な説明】
【技術分野】
【０００１】
本発明は空気調和機の自己診断表示装置に関するものである。
【背景技術】
【０００２】
従来、この種の自己診断表示装置では、例えば図７に記載された自己診断表示装置があった（例えば、特許文献１参照）。
【０００３】
図７において、空気調和機の各部の状態を検出するセンサ１０２からの信号から故障を判定する故障判定手段１０３と、故障信号を表示する表示部１０４と、故障信号を表示部１０４に表示させる操作スイッチ１０５と、空気調和機の故障信号を記憶する記憶部１０６とを備えた故障表示装置１０１を設け、故障表示装置１０１は操作スイッチ１０５が操作された場合、故障判定手段１０３で判定した故障信号を記号化して表示部１０４に表示していた。
【特許文献１】特開平９−１１３０１３号公報
【発明の開示】
【発明が解決しようとする課題】
【０００４】
しかしながら、前記従来の構成では、故障判定手段１０３で判定した故障信号を記号化して表示部１０４に表示していため、記号化された故障表示から空気調和機の点検箇所を判断するには専門知識が必要で故障要因を特定するのに時間を要してしまうと言う課題を有していた。また、交換する必要のない部品を交換、必要以上のサービス費用が発生してしまう場合があると言う課題を有していた。
【０００５】
本発明は、前記従来の課題を解決するもので、点検箇所データ抽出手段が故障判定手段で判定された故障状態と故障状態毎の複数の点検箇所データから空気調和機の点検すべき箇所を所定の項目抽出し、故障情報として表示部に表示することで、空気調和機の点検箇所の判断に専門知識が不要で故障要因の特定時間並びにサービス費用の低減ができる空気調和機の自己診断表示装置を提供することを目的とする。
【課題を解決するための手段】
【０００６】
前記従来の課題を解決するために、本発明の空気調和機の自己診断表示装置は、空気調和機の制御状態を検出する複数のセンサ値から空気調和機の故障状態を判定する故障判定手段と、前記空気調和機の故障時に故障情報を表示する表示部と、故障状態毎の複数の点検箇所データを記憶する点検箇所データ記憶部と、操作により前記空気調和機の点検箇所データを前記表示部に表示させる点検箇所表示スイッチと、点検箇所データ抽出手段を具備した空気調和機の自己診断表示装置であって、前記点検箇所データ抽出手段が前記故障判定手段で判定された故障状態と故障状態毎の複数の点検箇所データから前記空気調和機の点検すべき箇所を所定の項目抽出し、故障情報として表示部に表示するものである。
【０００７】
これによって、空気調和機の点検箇所の判断に専門知識が不要で、故障要因を特定する時間を低減することができる。
【発明の効果】
【０００８】
本発明の空気調和機の自己診断表示装置は、空気調和機の点検箇所の判断に専門知識が不要で、故障要因を特定する時間を低減することができる。
【発明を実施するための最良の形態】
【０００９】
第１の発明は、空気調和機の制御状態を検出する複数のセンサ値から空気調和機の故障状態を判定する故障判定手段と、空気調和機の故障時に故障情報を表示する表示部と、故障状態毎の複数の点検箇所データを記憶する点検箇所データ記憶部と、操作により空気調和機の点検箇所データを表示部に表示させる点検箇所表示スイッチと、点検箇所データ抽出手段を具備した空気調和機の自己診断表示装置であって、点検箇所表示スイッチの操作時に点検箇所データ抽出手段が故障判定手段で判定された故障状態と故障状態毎の複数の点検箇所データから空気調和機の点検すべき箇所を所定の項目抽出し、故障情報として表示部に表示するもので、この構成をなすことにより、空気調和機の点検箇所の判断に専門知識が不要で、故障要因を特定する時間を低減することができる。
【００１０】
第２の発明は、空気調和機の制御状態を検出する複数のセンサ値から空気調和機の故障状態を判定する故障判定手段と、空気調和機の故障時に故障情報を表示する表示部と、故障状態毎の複数の部品交換率データを記憶する部品交換率データ記憶部と、操作により空気調和機の部品交換率データを表示部に表示させる部品交換率表示スイッチと、部品交換率データ抽出手段を具備した空気調和機の自己診断表示装置であって、部品交換率表示スイッチの操作時に部品交換率データ抽出手段が故障判定手段で判定された故障状態と故障状態毎の複数の部品交換率データから空気調和機の交換すべき部品を所定の項目抽出し、故障情報として表示部に表示するもので、この構成をなすことにより、空気調和機の部品交換の判断に専門知識が不要で、空気調和機の修理にかかるサービス時間並びにサービス費用を低減することができる。
【００１１】
第３の発明は、機器コード記憶部を設け、特に、第１または２の発明の故障情報を抽出する条件を機器コード記憶部に記憶されたデータに限定して絞り込むもので、この構成をなすことにより、機器コード毎の特有の故障情報抽出ができ、空気調和機の修理にかかるサービス時間並びにサービス費用を低減することができる。
【００１２】
第４の発明は、抽出年設定手段を設け、特に、第３の発明の故障情報を抽出する条件に抽出する年を容易に設定できるもので、この構成をなすことにより、製造年毎の特有の故障情報抽出ができ、空気調和機の修理にかかるサービス時間並びにサービス費用を低減することができる。
【００１３】
第５の発明は、故障情報送信手段を設け、特に、第１〜４の発明の抽出した故障情報を双方向リモコンに送信することにより、故障情報を持ち歩くことができ、空気調和機の修理にかかるサービス作業性の向上を図ることができる。
【００１４】
第６の発明は、音声出力手段を設け、特に、第１〜５の発明の抽出した故障情報を音声で出力することにより、表示部に表示困難な詳細な故障情報を出力することができ、空気調和機の修理にかかるサービス時間並びにサービス費用を低減することができる。
【００１５】
以下、本発明の実施の形態について、図面を参照しながら説明する。なお、この実施の形態によって本発明が限定されるものではない。
【００１６】
（実施の形態１）
図１は、本発明の実施の形態１における空気調和機の自己診断表示装置１のブロック図を示すものである。
【００１７】
図１において、空気調和機の自己診断表示装置１は、故障判定手段３、表示部４、点検箇所表示スイッチ５、点検箇所データ記憶部６、点検箇所データ抽出手段７から構成される。
【００１８】
以上のように構成された空気調和機の自己診断表示装置において、以下その動作、作用を説明する。
【００１９】
故障判定手段３は、空気調和機の制御状態を検出する複数のセンサ（２Ａ、‥‥、２ｎ）の検出値から空気調和機の故障状態（センサオープン、センサショート、温度過昇異常、冷媒圧力過昇異常等）を判定し記号化（Ｈ１９、Ｆ９９等）する。
【００２０】
表示部４は、空気調和機の故障状態毎の複数の故障情報として順番に表示する。
【００２１】
点検箇所表示スイッチ５は、操作により空気調和機の故障状態毎の点検箇所データを故障情報として表示部に複数表示させる。
【００２２】
点検箇所データ記憶部６は、空気調和機の記号化された故障状態（Ｈ１９、Ｆ９９等）毎の複数の点検箇所データ（電源、電流、冷媒量過多、冷媒量過少、室内ファンモーター、室外ファンモーター等）を記憶する。
【００２３】
点検箇所データ抽出手段７は、空気調和機の故障状態毎の点検すべき箇所を、故障情報（１．室内熱交換器温センサオープン／ショート、２．室内ファンモーター等）として所定の項目、複数抽出する。
【００２４】
以上のように構成された空気調和機の自己診断表示装置は、点検箇所表示スイッチ５の操作時に、点検箇所データ抽出手段７が、故障判定手段３で判定された故障状態と故障状態毎の複数の点検箇所データから空気調和機の点検すべき箇所を故障情報として所定の項目抽出し、表示部４に表示するものである。
【００２５】
したがって空気調和機の点検箇所の判断に専門知識が不要で故障要因を特定する時間を低減することができる。
【００２６】
また、交換する必要のない部品を交換し必要以上のサービス費用が発生するケースを抑制し、サービス費用を低減することができる。
【００２７】
（実施の形態２）
図２は、本発明の実施の形態２における空気調和機の自己診断表示装置１のブロック図を示すものである。図２において、実施の形態１で説明した部分については同じ符号を用い説明を省略する。
【００２８】
部品交換率表示スイッチ８は、操作により空気調和機の記号化された故障状態（Ｈ１９、Ｆ９９等）毎の部品交換率データを故障情報として表示部に複数表示させる。
【００２９】
部品交換率データ記憶部９は、空気調和機の故障状態毎の複数の部品交換率データ（Ｈ１９：室内ファンモーター５０％、室内制御基板３０％、室内熱交換器温センサ１０％等）を記憶する。
【００３０】
部品交換率データ抽出手段１０は、空気調和機毎の故障状態毎の部品交換率を故障情報（１．室内ファンモーター５０％、２．室内制御基板３０％、３．室内熱交換器温センサ１０％等）として複数抽出する。
【００３１】
以上のように構成された空気調和機の自己診断表示装置は、部品交換率表示スイッチ８の操作時に、部品交換率データ抽出手段１０が、故障判定手段３で判定された故障状態と故障状態毎の複数の部品交換率データから空気調和機の交換すべき部品を故障情報として
所定の項目抽出し、表示部４に表示するものである。
【００３２】
したがって空気調和機の部品交換の判断に専門知識が不要で、故障要因を特定する時間を低減することができる。
【００３３】
また、交換する必要のない部品を交換し必要以上のサービス費用が発生するケースを抑制し、サービス費用を低減することができる。
【００３４】
（実施の形態３）
図３は、本発明の実施の形態３における空気調和機の自己診断表示装置１のブロック図を示すものである。図３において、実施の形態１で説明した部分については同じ符号を用い説明を省略する。
【００３５】
機器コード記憶部１１は、空気調和機毎の機器コード（ＣＳ−１２３Ｘ等）を記憶する。
【００３６】
以上のように構成された空気調和機の自己診断表示装置１は、故障情報を抽出する条件を機器コード記憶部１１に記憶されたデータに限定して絞り込むものである。したがって、機器コード毎の特有の故障情報抽出ができ、空気調和機の修理にかかるサービス時間並びにサービス費用を低減することができる。
【００３７】
（実施の形態４）
図４は、本発明の実施の形態４における空気調和機の自己診断表示装置１のブロック図を示すものである。図４において、実施の形態１で説明した部分については同じ符号を用い説明を省略する。
【００３８】
抽出年設定手段１２は、抽出する対象の年データ（２００４年、２００５年等）を設定する。
【００３９】
以上のように構成された空気調和機の自己診断表示装置１は、抽出する対象の年を自由に設定し、故障情報の抽出条件を可変するものである。したがって、製造年毎の特有の故障情報抽出ができ、空気調和機の修理にかかるサービス時間並びにサービス費用を低減することができる。
【００４０】
（実施の形態５）
図５は、本発明の実施の形態５における空気調和機の自己診断表示装置１のブロック図を示すものである。図５において、実施の形態１で説明した部分については同じ符号を用い説明を省略する。
【００４１】
故障情報送信手段１３は、故障情報（１．室内熱交換器温センサオープン／ショート、２．室内ファンモーター等）を双方向リモコンに送信する。
【００４２】
双方向リモコン１４は、送信されてきた故障情報を受信し、受信した複数の故障情報を液晶部に表示する。
【００４３】
以上のように構成された空気調和機の自己診断表示装置１は、抽出した複数の故障情報を双方向リモコン１４に送信するものである。したがって、空気調和機の故障情報を持ち歩くことができ空気調和機の修理にかかるサービス作業性の向上を図ることができる。
【００４４】
（実施の形態６）
図６は、本発明の実施の形態６における空気調和機の自己診断表示装置１のブロック図を示すものである。図６において、実施の形態１で説明した部分については同じ符号を用い説明を省略する。
【００４５】
音声出力手段１５は、詳細な故障情報（検出した異常はＦ９１です。室外熱交換器温センサのチェック並びに冷媒ガス量のチェックを行ってください。等）を音声で出力する。
【００４６】
以上のように構成された空気調和機の自己診断表示装置１は、抽出した故障情報を音声出力手段１５で音声出力するものである。したがって、より詳細な故障情報を出力することができ、空気調和機の修理にかかるサービス時間並びにサービス費用を低減することができる。
【００４７】
また、表示部に表示困難な故障情報を音声出力できるので、表示部の表示内容並びに部品構成を簡素化、し製造コストを低減することができる。
【産業上の利用可能性】
【００４８】
以上のように、本発明の空気調和機の自己診断表示装置は、点検すべき箇所を所定の項目抽出し、故障情報として表示部に表示することで、点検箇所の判断に専門知識が不要で、故障要因の特定時間並びにサービス費用の低減ができるので、給湯器等の移動が困難な設置型システム機器の故障要因特定時間低減にも適用できる。
【図面の簡単な説明】
【００４９】
【図１】本発明の実施の形態１における空気調和機の自己診断表示装置のブロック図
【図２】本発明の実施の形態２における空気調和機の自己診断表示装置のブロック図
【図３】本発明の実施の形態３における空気調和機の自己診断表示装置のブロック図
【図４】本発明の実施の形態４における空気調和機の自己診断表示装置のブロック図
【図５】本発明の実施の形態５における空気調和機の自己診断表示装置のブロック図
【図６】本発明の実施の形態６における空気調和機の自己診断表示装置のブロック図
【図７】従来の空気調和機の自己診断表示装置のブロック図
【符号の説明】
【００５０】
１  空気調和機の自己診断表示装置
２Ａ、２ｎ  センサ
３  故障判定手段
４  表示部
５  点検箇所表示スイッチ
６  点検箇所データ記憶部
７  点検箇所データ抽出手段
８  部品交換率表示スイッチ
９  部品交換率データ記憶部
１０  部品交換率データ抽出手段
１１  機器コード記憶部
１２  抽出年設定手段
１３  故障情報送信手段
１４  双方向リモコン
１５  音声出力手段
【図１】
2007192492.tif 000003
【図２】
2007192492.tif 000004
【図３】
2007192492.tif 000005
【図４】
2007192492.tif 000006
【図５】
2007192492.tif 000007
【図６】
2007192492.tif 000008
【図７】
2007192492.tif 000009